(57)【要約】【課題】既設の筐体であっても追加加工せずにフィルタを取り付けることが可能であり、又、スリットが増えた場合や換気部材と併用する場合であっても容易な作業によって対応が可能なフィルタ収納構造を提供する。【解決手段】筐体１、１１に取り付けられるフィルタ収納構造であって、板材を折曲加工して断面を略コ字状に形成すると共に筐体１、１１への取付手段３、１３を設けた枠体２、１２と、枠体２、１２に伸縮可能に嵌合されると共に枠体２、１２への固定手段５、１５を設けたレール部材４、１４と、レール部材４、１４又は枠体２、１２、若しくはレール部材４、１４及び枠体２、１２に嵌合されるフィルタ部材６、１６とを備え、一対のレール部材４、１４又は枠体２、１２、若しくはレール部材４、１４及び枠体２、１２によってフィルタ部材６、１６が保持される。【選択図】図３
2011184946.tif 000002
【特許請求の範囲】
【請求項１】
筐体に取り付けられるフィルタ収納構造であって、板材を折曲加工して断面を略コ字状に形成すると共に前記筐体への取付手段を設けた枠体と、該枠体に伸縮可能に嵌合されると共に前記枠体への固定手段を設けたレール部材と、該レール部材又は前記枠体、若しくは前記レール部材及び前記枠体に嵌合されるフィルタ部材とを備え、一対の前記レール部材又は前記枠体、若しくは前記レール部材及び前記枠体によって前記フィルタ部材が保持されることを特徴とするフィルタ収納構造。
【請求項２】
前記フィルタ収納構造において、前記枠体の側面に、前記固定手段の移動を可能にする長孔、及び前記固定手段を保持する切欠部を設け、前記レール部材の前記固定手段に対してそれぞれ止め具により固定したことを特徴とする請求項１に記載のフィルタ収納構造。
【請求項３】
前記フィルタ収納構造において、一対の前記レール部材又は前記枠体、又は前記レール部材及び前記枠体、に換気部材を取り付けたことを特徴とする請求項１及び請求項２に記載のフィルタ収納構造。
【発明の詳細な説明】
【技術分野】
【０００１】
本発明は、筐体に取り付けるフィルタ収納構造に関するものである。
【背景技術】
【０００２】
従来、筐体にフィルタを取り付ける場合には、特許文献１に記載されているようなキャビネット外壁より外側に位置する外側本体部と、キャビネット外壁より内側に位置する内側本体部とを備えた本体部と、外側本体部を覆うルーバーカバーとからなり、ルーバーの内側端から隙間を設けて内側本体部にフィルタ２６を収納するフィルタ収納部を配置するような、筐体２１に施した穴加工にルーバー等と共に取り付ける方法が用いられていた。
【０００３】
しかしながら、特許文献１に記載の発明では、既設のキャビネットに対してルーバーを実装する場合には換気口を拡大加工する必要があり、加工のためのコストがかかるという欠点がある。
【０００４】
又、フィルタを取り付ける際には、キャビネットを屋内へ設置する場合であってもルーバーカバーが必要であり、部品点数が増えてコストがかかる恐れがあるという欠点がある。
【０００５】
又、フィルタを交換する際にはルーバーカバーを完全に取り外さなければ交換作業を行えないという欠点がある。又、換気部材の併設が困難であり、換気部材を併設する場合であってもフィルタ交換時にファン及びルーバーカバーを取り外す作業を行うこととなり、そのために作業スペースが必要となるという欠点がある。
【０００６】
又、スリットが増えた場合には新しく部材を用意して対応する必要があるという欠点がある。
【０００７】
この改善策として、特許文献２に記載されているような、筐体３１の取付開口の外面に固定される基枠と、基枠に開口した通気口を塞ぐルーバー板と、ルーバー板に収納される防塵用のフィルタ３６とを備え、ルーバー板は基枠に軸で軸支されて上開き揺動開閉可能とし、ルーバー板を開放した状態において、ルーバー板の内面に設けたガイド枠に対してフィルタ３６を上方から出し入れ可能とした方法が考えられる。
【先行技術文献】
【特許文献】
【０００８】
【特許文献１】特開２００７−３０５８８５号公報
【特許文献２】特開２００４−３４２８０４号公報
【発明の概要】
【発明が解決しようとする課題】
【０００９】
しかしながら、特許文献２に記載の発明では、フィルタを交換する際には軸支されているルーバー板を開放する必要があるという欠点があり、ルーバーを構成する部品点数が多いためコストがかかる恐れがあり、組立作業の効率が低下する恐れもあるという欠点がある。
【００１０】
又、特許文献２に記載の発明においても、換気部材の併設が困難であり、換気部材を併設する場合であってもフィルタ交換時に換気部材及びルーバーカバーを取り外す作業を行うこととなり、そのために作業スペースが必要となるという欠点は解決されない。
【００１１】
又、既設のキャビネットに対してルーバーを実装する場合には換気口を拡大加工する必要があり、加工のためのコストがかかるという欠点も解決されず、又、スリットが増えた場合には新しく部材を用意して対応する必要があるという欠点も解決されない。
【課題を解決するための手段】
【００１２】
上記した課題を解決するためになされた本発明のフィルタ収納構造は、筐体に取り付けられるフィルタ収納構造であって、このフィルタ収納構造は板材を折曲加工して断面を略コ字状に設けると共に筐体への取付手段を設けた枠体と、枠体に伸縮可能に嵌合されると共に固定手段を設けたレール部材と、レール部材又は枠体、若しくはレール部材及び枠体、に嵌合されるフィルタ部材とを備え、一対のレール部材又は枠体、又はレール部材及び枠体、によってフィルタ部材が保持される。
【発明の効果】
【００１３】
本発明のフィルタ収納構造によれば、既設の筐体に取付穴の追加工を施さずに筐体へフィルタの取り付けを行うことが可能である。
又、フィルタ部材は撓ませてレール部材のスペースに差し込む構造であり、交換を容易に行うことが可能である。
【００１４】
又、ルーバーカバーを使用しなくてもフィルタの取り付けが可能となるため、少ない部品点数及び低いコストでの取り付けが可能である。又、ルーバーカバーを使用しないため換気部材の併設が可能であり、換気部材を併設した場合であっても換気部材を取り付けたレール部材をスライドさせることでフィルタの交換を行うため、ルーバーカバーや換気部材自体を取り外すことなく少ない作業スペースでのフィルタ部材の交換が可能である。
【００１５】
又、筐体のスリットが増えた場合でも、レール部材をスライドさせて延ばすことにより同じ部材での対応が可能となり、新しく部材を追加する必要がないためコストの低下を図ることが可能である。
【００１６】
又、レール部材の伸縮方向が縦方向になるように取り付けることで奥行き方向にスペースがない場合であっても使用が可能である。又、２個並べた場合であっても、フィルタの交換は１個の場合と同じように行うことが可能である。
【００１７】
又、レール部材の固定手段に対して止め具による固定を行うことにより、止め具を緩めることで枠体に嵌合させたままレール部材をスライドさせることが可能となり、任意の位置で再度止め具を締めることにより必要に応じたサイズ変更が可能である。又、止め具の押圧により、フィルタ部材の脱落を防ぐことが可能である。
【００１８】
又、フィルタ部材交換後にレール部材を枠体へスライドさせても、フィルタ部材の端部がレール部材の端部に嵌合されているためフィルタ部材を圧迫して枠体の端部へ偏る恐れを少なくすることが可能である。
【図面の簡単な説明】
【００１９】
【図１】図１は本発明の実施例１におけるフィルタ収納構造の斜視図である。
【図２】図２は図１におけるフィルタ収納構造の分解斜視図である。
【図３】図３は本発明の実施例１におけるフィルタ部材を取り外してレール部材を引き出した際の斜視図である。
【図４】図４は本発明の実施例１におけるフィルタ収納構造を横に２個並べた際の斜視図である。
【図５】図５は本発明の実施例１におけるフィルタ収納構造を縦方向への引き出しが可能な状態で２個並べた際の斜視図である。
【図６】図６は本発明の実施例２における換気部材を取り付けた際の斜視図である。
【図７】図７は図６における換気部材を取り付けたままレール部材を引き出した際の正面図である。
【図８】図８は特許文献１における電気機器収納キャビネット用ルーバーの側面断面図である。
【図９】図９は特許文献２における電気機器ボックスの換気用通風装置の側面断面図である。
【発明を実施するための形態】
【００２０】
本発明では、筐体に取り付けるフィルタを枠構造とすることで作業性の向上とコストの低減を可能にした。
【実施例１】
【００２１】
筐体１に取り付けられるフィルタ収納構造であって、板材を折曲加工して断面を略コ字状に形成すると共に前面に第一長孔７及び第一切欠部８を設け背面に筐体１への取付手段３としてネジ孔を設けた枠体２と、枠体２に伸縮可能に嵌合されると共に略コ字状に形成し、前面に枠体２への固定手段５として止め具９による固定部を設け、背面に第二長孔７及び第二切欠部８を設けたレール部材４と、レール部材４及び枠体２に嵌合されるフィルタ部材６とを備え、レール部材４を嵌合させた一対のレール部材４及び枠体２を配し、その間にフィルタ部材６を撓ませて差し込むことで保持される。枠体２の背面において、枠体２のネジ孔とレール部材４の第二長孔７及び第二切欠部８とのそれぞれをネジを用いて、枠体２とレール部材４を共に筐体１のスリット３０へ取り付ける。枠体２の前面において、レール部材４の固定部に枠体２の第一長孔７を貫通して止め具を設ける。
【００２２】
枠体２からレール部材４の伸縮を行う際には、止め具９を緩めてレール部材４を移動させ、任意の位置で第一長孔７の止め具９を締めて固定する。フィルタ部材６は指で摘むなどして撓ませることで、一対のレール部材４又は枠体２、若しくはレール部材４及び枠体２から取り外し、同様にして一対のレール部材４又は枠体２、若しくはレール部材４及び枠体２の間へ取り付ける。これにより、既設の筐体１に取付穴の拡大加工を施さずにフィルタ部材６の取り付けを行うことが可能となり、且つ、筐体１のスリット３０が増えた場合でも、レール部材４を伸縮させることにより同じ部材で対応でき、新しく部材を追加する必要がないためコストの低下を図ることが可能となる。又、ルーバーカバーを使用せずにフィルタ部材６を取り付けるため、少ない部品点数及び低いコストでの取り付けが可能となる。又、固定部に第一長孔７を貫通して止め具９を設けているため、止め具９を緩めることで枠体２に嵌合させたままレール部材４をスライドさせ、任意の位置で再度ネジを締めることにより必要に応じたサイズ変更が可能となり、且つ、止め具９によってレール部材４の脱落を防止することが可能となる。又、止め具９の押圧により、フィルタ部材６の脱落を防ぐことが可能となる。又、フィルタ部材６は撓ませてレール部材４のスペースに差し込む構造であるため、交換を容易に行うことが可能となる。又、レール部材４のスライド方向が縦方向になるように取り付けることで筐体１の奥行き方向にスペースがない場合であっても使用でき、且つ、本発明によるフィルタ収納構造を２個並べた場合であっても、フィルタ部材６の交換は１個の場合と同じように行うことが可能となる。
【実施例２】
【００２３】
筐体１１に取り付けられるフィルタ収納構造であって、板材を折曲加工して断面を略コ字状に形成されると共に前面に第一長孔１７及び第一切欠部１８を設け背面に筐体１１への取付手段１３としてネジ孔を設けた枠体１２と、枠体１２に伸縮可能に嵌合されると共に略コ字状に形成し、前面に枠体１２への固定手段１５として止め具１９による固定部を設け、背面に第二長孔１７及び第二切欠部１８を設けたレール部材１４と、レール部材１４及び枠体１２に嵌合されるフィルタ部材１６とを備え、レール部材１４を嵌合させた一対のレール部材１４及び枠体１２を配し、その間にフィルタ部材１６を撓ませて差し込むことで保持される。一対のレール部材１４に亘り、換気部材２０を枠体１２に嵌合させたレール部材１４の固定部に第一長孔１７を貫通して止め具１９によって設ける。枠体１２の背面において、枠体１２のネジ孔とレール部材１４の第二長孔１７及び第二切欠部１８とのそれぞれをネジを用いて、枠体１２とレール部材１４を共に筐体１１のスリットへ取り付ける。枠体１２の前面において、枠体にレール部材１４を嵌合させ、固定部に第一長孔１７を貫通して止め具１９を設ける。
【００２４】
枠体１２からレール部材１４の伸縮を行う際には、止め具１９を緩めてレール部材１４を移動させ、任意の位置で第一長孔１７の止め具１９を締めて固定する。換気部材２０を取り付けた状態でのフィルタ部材１６の交換は、レール部材１４の伸縮を行う際と同様に第一長孔１７の止め具１９を緩めて換気部材２０と共にレール部材１４をスライドさせ、フィルタ部材１６を指で摘むなどして撓ませることで、一対のレール部材１４又は枠体１２、若しくはレール部材１４及び枠体１２の間から取り外し、同様にして一対のレール部材１４又は枠体１２、若しくはレール部材１４及び枠体１２の間へ取り付ける。これにより、既設の筐体１１に取付穴の拡大加工を施さずにフィルタ部材１６の取り付けを行うことが可能となる。又、ルーバーカバーを使用せずにフィルタ部材１６を取り付けることが可能となり、少ない部品点数及び低いコストでの取り付けが可能となる。又、固定部に第一長孔１７を貫通して止め具１９を設けているため、止め具１９を緩めることで枠体１２に嵌合させたまま換気部材２０を取り付けたレール部材１４をスライドさせてのフィルタ部材１６の交換が可能となり、且つ、止め具１９によってレール部材１４の脱落を防止することが可能となる。又、止め具１９の押圧により、フィルタ部材１６の脱落を防ぐことが可能となる。又、フィルタ部材１６は撓ませてレール部材１４のスペースに差し込む構造であるため、交換を容易に行うことが可能となる。又、レール部材１４のスライド方向が縦方向になるように取り付けることで筐体１１の奥行き方向にスペースがない場合であっても使用でき、且つ、本発明によるフィルタ収納構造を２個並べた場合であっても、フィルタ部材１６の交換は１個の場合と同じように行うことが可能となる。
【産業上の利用可能性】
【００２５】
既設の筐体であっても追加工せずにフィルタを取り付けることが可能であり、又、スリットが増えた場合やファンと併設する場合であっても容易な作業によって対応が可能である。
【符号の説明】
【００２６】
１、１１、２１、３１    筐体
２、１２    枠体
３、１３    取付手段
４、１４    レール部材
５、１５    固定手段
６、１６、２６、３６    フィルタ部材
７、１７    長孔
８、１８    切欠部
９、１９    止め具
２０    換気部材
３０    スリット
【図１】
2011184946.tif 000003
【図２】
2011184946.tif 000004
【図３】
2011184946.tif 000005
【図４】
2011184946.tif 000006
【図５】
2011184946.tif 000007
【図６】
2011184946.tif 000008
【図７】
2011184946.tif 000009
【図８】
2011184946.tif 000010
【図９】
2011184946.tif 000011